(57)【要約】【課題】  家庭の生活ゴミ等を収容するゴミ袋を集積所等に運搬するのに便利なゴミ袋等運搬用手提げ運搬具を提供する。【解決手段】  ゴミ袋Ｇの底部を上下方向に取り回すように一対の支持ベルト部３１が設けられ、その支持ベルト部３１の上側部分が閉ループ状の連結ベルト部３４によって連結され、支持ベルト部３１に連続する一体のベルト部分がループ状の取手ベルト部３２とされる。また、支持ベルト部３１と連結ベルト部３４とは交点連結バックル２０を介して、上下・左右にそれぞれ連結位置を変更可能に十字状に連結される。連結ベルト部３４は左右において、ワンタッチジョイント２４により開放可能に接続され、また、取手ベルト部３２は手提げ長調節バックル２８により長さ調節可能である。ゴミ袋Ｇは底部材１３に着座し、取手ベルト部３２を持って吊り上げることにより支持ベルト部３１に支持された状態で簡単に運搬することができる。【選択図】  図３Ａ
0003140119.tif 000002
【実用新案登録請求の範囲】
【請求項１】
ゴミ袋等の運搬対象物を運搬するための手提げ運搬具であって、
前記運搬対象物の底部を上下方向に取り回すように直接支持する、又は底部材を介して間接的に支持する２本以上の支持ベルト部と、
それら支持ベルト部の少なくとも上側部分同士を横方向に連結する連結ベルト部と、
前記支持ベルト部の上側部分若しくは前記連結ベルト部に連結された手提げ用の取手部とを備え、
ゴミ袋等の運搬対象物を前記支持ベルト部及び連結ベルト部で形成される空間内に収容し、前記支持ベルト部によりその運搬対象物の底部を支持するとともに、その支持ベルト部及び前記連結ベルト部により前記運搬対象物の位置を規制し、かつ前記取手部を介して手提げ状態で前記運搬対象物を運搬する一方、
上下方向の前記支持ベルト部と横方向の前記連結ベルト部とのすべての交点、又は一部の交点に、それら支持ベルト部と連結ベルト部とが十字状に挿し通されて、それら両ベルト部の長手方向における移動調節がそれぞれ許容された状態でそれら支持ベルト部と連結ベルト部とを連結する交点連結バックルが設けられ、各交点連結バックルを介して、前記支持ベルト部と連結ベルト部との上下方向の連結位置及び横方向の連結位置がそれぞれ調節可能とされたゴミ袋等運搬用手提げ運搬具。
【請求項２】
前記連結ベルト部は、前記２本以上の支持ベルト部の少なくとも上側部分同士を、閉じたループを形成するように巡回して横方向に連結するものである請求項１に記載にゴミ袋等運搬用手提げ運搬具。
【請求項３】
前記連結ベルト部は、前記２本以上の支持ベルト部の少なくとも上側部分同士及び下側部分同士を、それぞれ閉じたループを形成するように巡回して横方向に連結するものである請求項１又は２に記載のゴミ袋等運搬用手提げ運搬具。
【請求項４】
前記連結ベルト部において当該運搬具の左右又は前後の少なくとも１箇所に分断部分が形成され、その分断部分の一方の端部に取り付けられた受部と、他方の端部に取り付けられ、その受部に弾性変形しつつ挿入されロックされるとともに弾性変形によりロックが解除される弾性爪部との組合せによるワンタッチジョイントによって、前記分断部分が接続されて、前記閉じたループを形成する前記連結ベルト部となる請求項１ないし３のいずれか１項に記載のゴミ袋等運搬用手提げ運搬具。
【請求項５】
前記ワンタッチジョイントの受部と弾性爪部とにそれぞれ前記連結ベルト部の分断部分の各端部が接続されるとともに、その受部と弾性爪部との少なくも一方において前記連結ベルト部の有効長さが調節可能とされ、その調節により前記ワンタッチジョイントにより閉じたループを形成する前記連結ベルト部の周長が調節される請求項４に記載のゴミ袋等運搬用手提げ運搬具。
【請求項６】
前記連結ベルト部において当該運搬具の左右又は前後の少なくとも１箇所に分断部分が形成され、その分断部分が結束されることにより、前記閉じたループを形成する前記連結ベルト部になるとともに、その結束部分において前記連結ベルト部の周長が調節される請求項１ないし３のいずれか１項に記載のゴミ袋等運搬用手提げ運搬具。
【請求項７】
前記手提げ用の取手部は、前記支持ベルトの２本対のものにおける上部同士をそれぞれループ状に連結するように、それら支持ベルト部の延長形態で形成された取手ベルト部とされて、前記支持ベルト部と手提げベルト部とが一体のベルト部材からなる請求項１ないし６のいずれか１項に記載のゴミ袋等運搬用手提げ運搬具。
【請求項８】
前記手提げ用の取手部は中間で分断されて、その分断部分が長さ調節バックルで接続され、その長さ調節バックルにより取手部の手提げ長さが調節される請求項１ないし７のいずれか１項に記載のゴミ袋等運搬用手提げ運搬具。
【請求項９】
前記取手ベルト部は中間で分断されて、その分断部分が長さ調節バックルで接続され、その長さ調節バックルにより手提げベルト部の手提げ長さが調節される請求項７に記載のゴミ袋等運搬用手提げ運搬具。
【考案の詳細な説明】
【技術分野】
【０００１】
この考案は、ゴミ袋等の運搬対象物を運搬するための手提げ運搬具に関する。
【背景技術】
【０００２】
従来、家庭で発生するゴミ（可燃ゴミ、不燃ゴミ等）は、一般にビニール袋や紙袋等の、自治体で指定されるゴミ袋に入れ、予め決められたゴミ収集日において、各地区ごとに指定されたゴミ集積所に、各家庭からゴミ袋を運搬し、各集積所に集められたゴミ袋をゴミ集収車が回収している。
【０００３】
そのようなゴミ袋を各家庭から集積所へ運ぶ際には、ひとりで片手に１個のゴミ袋をぶら下げ、あるいは両手に２個のゴミ袋をぶら下げて、数十メートル以上、場合によっては２００メートルとか３００メートルとかの比較的長い距離を運ばなければならない。しかし、一般にビニール等合成樹脂製又は紙製のゴミ袋の上部を手で強く掴んで運ぶことは握力の関係でかなり疲れる作業である。またゴミ袋の上部が内容物の重みで破れることもあり、そうするとゴミ袋を抱きかかえるようにして運ぶ必要も生じうるが、ゴミ袋の内容物が生ゴミだったりすると、生ごみの液がゴミ袋からしみでることもあるので、かなり運びにくい状況が生じる。
【０００４】
そこで、ゴミ袋の上部に強度を補強した引掛け孔を形成し、その引掛け孔に、特許文献１に示すような手荷物運搬用保持具、又は特許文献２に示すような手荷物運搬用補助ベルトの吊フックを引掛けて運ぶことも考えられる。しかし、補強処理された引掛け孔を有するゴミ袋はその製造が面倒であり、コストも高くなって、多くの家庭にわたり低廉かつ大量に供給するゴミ袋としては現実にそぐわない場合もある。
【特許文献１】特開２００４−２１５９８６号公報
【特許文献２】実用新案登録第３０６７３９５号公報
【考案の開示】
【考案が解決しようとする課題】
【０００５】
この考案の課題は、ゴミが収容された家庭のゴミ袋等の運搬に好適なゴミ袋等運搬用手提げ運搬具を提供することにある。
【課題を解決するための手段及び考案の効果】
【０００６】
そして本考案は、ゴミ袋等の運搬対象物を運搬するための手提げ運搬具であって、
前記運搬対象物の底部を上下方向に取り回すように直接支持する、又は底部材を介して間接的に支持する２本以上の支持ベルト部と、
それら支持ベルト部の少なくとも上側部分同士を横方向に連結する連結ベルト部と、
前記支持ベルト部の上側部分若しくは前記連結ベルト部に連結された手提げ用の取手部とを備え、
ゴミ袋等の運搬対象物を前記支持ベルト部及び連結ベルト部で形成される空間内に収容し、前記支持ベルト部によりその運搬対象物の底部を支持するとともに、その支持ベルト部及び前記連結ベルト部により前記運搬対象物の位置を規制し、かつ前記取手部を介して手提げ状態で前記運搬対象物を運搬する一方、
上下方向の前記支持ベルト部と横方向の前記連結ベルト部とのすべての交点、又は一部の交点に、それら支持ベルト部と連結ベルト部とが十字状に挿し通されて、それら両ベルト部の長手方向における移動調節がそれぞれ許容された状態でそれら支持ベルト部と連結ベルト部とを連結する交点連結バックルが設けられ、各交点連結バックルを介して、前記支持ベルト部と連結ベルト部との上下方向の連結位置及び横方向の連結位置がそれぞれ調節可能とされることを特徴とする。
【０００７】
このようにすれば、支持ベルト部内の空間にゴミ袋等の運搬対象物を配置し、手提げ用の取手部を持ち上げることにより支持ベルト部を介して運搬対象物を吊り下げ状態で持ち上げることができ、その状態で容易にゴミ袋等を運搬することができる。そのため、家庭で生じた生活ゴミのゴミ袋を集積所等に運搬する場合も、この手提げ運搬具があればそのゴミ袋の上部等を直接手で把持する強い握力も必要なく、また抱えたりする必要もなく簡単に運ぶことができる。
【０００８】
しかも、支持ベルト部と連結ベルト部との交点に位置する交点連結バックルによって、双方のベルト部の連結位置を上下方向や横（左右）方向において位置をずらすように調節ができるため、ゴミ袋等の運搬対象物の大きさ（幅や高さ等）に応じて、最適な収容空間を設定することができ、ゴミ袋等の運搬対象物が双方のベルト部間をすり抜けて脱落したり、高さのある運搬対象物が連結ベルト部を乗り越えて脱落したりすることを、上記交点の連結位置の調節により抑制ないし回避することができる。その結果、ゴミ袋等の運搬対象物として、例えば背の低いものから背の高いもの、太いものから細いものまで、汎用的に使用できる手提げ運搬具となる。
【０００９】
また、本考案において、前記連結ベルト部は、前記２本以上の支持ベルト部の少なくとも上側部分同士、あるいは上側部分同士及び下側部分同士を、閉じたループを形成するように巡回して横方向に連結するものである。
【００１０】
また、前記連結ベルト部において当該運搬具の左右又は前後の少なくとも１箇所に分断部分が形成され、その分断部分の一方の端部に取り付けられた受部と、他方の端部に取り付けられ、その受部に弾性変形しつつ挿入されロックされるとともに弾性変形によりロックが解除される弾性爪部との組合せによるワンタッチジョイントによって、前記分断部分が接続されて、前記閉じたループを形成する前記連結ベルト部となるように構成できる。
【００１１】
このようにすれば、ワンタッチジョイントを外して、連結ベルト部を分断・開放することにより、その分断・開放部分からゴミ袋等の運搬対象物をこの手提げ運搬具に取り込み、またワンタッチジョイントを接続することにより周囲を取り囲むことができ、ゴミ袋等の運搬対象物の出し入れが容易となる。
【００１２】
また、前記ワンタッチジョイントの受部と弾性爪部とにそれぞれ前記連結ベルト部の分断部分の各端部が接続されるとともに、その受部と弾性爪部との少なくも一方において前記連結ベルト部の有効長さが調節可能とされ、その調節により前記ワンタッチジョイントにより閉じたループを形成する前記連結ベルト部の周長が調節される。
【００１３】
このような上記ワンタッチジョイントにおいて連結ベルト部の有効長さが調節可能な構造により、ゴミ袋等の胴部が太いものでは連結ベルト部の有効長さを長く（緩く）調節し、胴部が細いものでは連結ベルト部の有効長さを短く（きつく締め込む）調節して、運搬対象物の胴部の大きさに拘らず汎用的に使用できる手提げ運搬具となる。
【００１４】
また、前記連結ベルト部において当該運搬具の左右又は前後の少なくとも１箇所に分断部分が形成され、その分断部分が結束されることにより、前記閉じたループを形成する前記連結ベルト部になるとともに、その結束部分において前記連結ベルト部の周長が調節されるようにも構成できる。
【００１５】
このようにすれば、連結ベルト部の分断部分における結束代をどのように取るかによって、つまりゴミ袋等の運搬対象物の胴部が細いものでは、太いものと比較してより締め込んで結束することによって、運搬対象物に対する位置規制効果を高め、また汎用的に使用できる手提げ運搬具となる。
【００１６】
また、前記手提げ用の取手部は、前記支持ベルトの２本対のものにおける上部同士をそれぞれループ状に連結するように、それら支持ベルト部の延長形態で形成された取手ベルト部とされて、前記支持ベルト部と取手ベルト部とが一体のベルト部材からなるように構成できる。
【００１７】
このようにすれば、形状が簡単であるのみならず、取手部を構成する金具等を取り付ける場合に比べて部品点数も少なく、かつ保管や取扱いも容易となる。
【００１８】
また、前記手提げ用の取手部（例えば上記取手ベルト部）は中間で分断されて、その分断部分が長さ調節バックルで接続され、その長さ調節バックルにより取手部（例えば上記取手ベルト部）の手提げ長さが調節される。
【００１９】
このようにすれば、ゴミ袋等の運搬対象物の高さや、使用者の身長等に応じて、手提げ長さを上記長さ調節バックルにおいて最適に調節できるから、運びやすく使い勝手がよくなり、また運搬対象物の高さや使用者の身長等の違いに拘らず、汎用的に使用できる利点が生じる。
【考案を実施するための最良の形態】
【００２０】
以下、本考案の実施の形態を、図面に示すいくつかの実施例を参照しつつ説明する。
【００２１】
図１は、本考案の一実施例であるゴミ袋等運搬用手提げ運搬具１０を示すものである。この手提げ運搬具１０は、運搬対象物として例えばゴミ袋Ｇを入れて手提げ状態で運ぶためのものである。図４（展開図）及び図６（正面図）に示すように、この手提げ運搬具１０は、ゴミ袋Ｇの底部を上下方向に取り回すように支持する２本のベルト（支持ベルト部）１１と、それら支持ベルト部１１の上側部分同士並びに中間部分同士を横方向にループ状に連結する２本の連結ベルト部１４と、底部材１３とを備えている。底部材１３は、ゴミ袋Ｇの底部が接する部分に対応して、支持ベルト部１１同士を横方向につなぐ３本の横底部ベルト部１３ａと、これら３本の横底部ベルト部１３ａを、これらと直交するように連結する１本の縦底部ベルト部１３ｂとを備えている。
【００２２】
図４は、上述のように手提げ運搬具１０の展開図であり、２本の連結ベルト部１４，１４の両端部が互いに２本のループ状をなすように接続されている。また、これら連結ベルト部１４，１４と支持ベルト部１１，１１とは、交点連結バックル２０を介して十字状に連結されている。また、支持ベルト部１１の上側部分に連続する湾曲状の折り返し部が取手ベルト部１２とされ、これら２つの取手ベルト部１２は互いに近接する状態で使用者の手で把持されるようになっている。
【００２３】
図１に示すように、ゴミ袋Ｇの底部は底部材１３（横底部ベルト部１３ａと縦底部ベルト部１３ｂ）に着座し、ゴミ袋Ｇの底部を上下方向に取り回すように位置する２本の支持ベルト部１１によって支持される。
図１のように、上下方向の支持ベルト部１１と、横（左右）方向の連結ベルト部１４とを互いの交点で連結する交点連結バックル２０は、単品状態では図２（Ａ）に示すように、上下方向に所定の間隔で互いに平行に形成された上下ベルト通し穴２１、２１と、これと直交する左右方向において所定の間隔で互いに平行に形成された左右ベルト通し穴２２、２２とを備える。そして、図２（Ｂ）、（Ｃ）に示すように、支持ベルト部１１はこのバックル２０の上下ベルト通し穴２１、２１の一方から入って他方から出るように挿通され、また連結ベルト部１４は左右ベルト通し穴２２、２２の一方から入って他方から出るように挿通されて、両ベルト部１１、１４が十字状に交差するように、このバックル２０を介して連結されている。従って、通常は、バックル２０と両ベルト部１１，１４との摩擦力、並びに両ベルト部１１、１４同士の摩擦力等により、両ベルト部１１、１４の十字状の連結位置は、上下方向及び左右方向において固定的に保持される。
【００２４】
他方、利用者がこのバックル２０を把持して、バックル２０を支持ベルト部１１の上下後方に上記摩擦力に抗して移動させれば、支持ベルト部１１に対する連結ベルト部１４の上下方向の連結位置が変更できる。例えば、バックル２０を支持ベルト部１１に沿って上側に移動させれば、その連結ベルト部１４は支持ベルト部１１に対しより高い位置で連結・固定されることになり、バックル２０を下側へ移動させれば、連結ベルト部１４を支持ベルト部１１に対し１４の連結位置が上下方向で変更できることにより、例えば背の低いゴミ袋や、背の高いゴミ袋のいずれにも、その位置を規制して、脱落を防ぎ、安定的に保持しつつ運搬することができる。
【００２５】
なお、バックル２０を連結ベルト部１４に沿って横方向（左右方向）へ移動させれば、連結ベルト部１４に対し支持ベルト部１１の左右方向の連結位置を変更することができる。これにより、支持ベルト部１１の左右の間隔が調節できることとなる。
【００２６】
次に、図３に基づいて本考案の別の実施例であるゴミ袋等運搬用手提げ運搬具３０について説明する。この手提げ運搬具３０の展開図を図５に、また正面図を図７に示す。これらの図から明らかなように、この手提げ運搬具３０は、ゴミ袋Ｇの底部を上下方向に取り回すように支持する２本の支持ベルト部３１と、これら支持ベルト部３１の底部部分を横方向に連結する底部ベルト部３３と、底部ベルト部３３から一定の高さ隔てた上側部分において２本の支持ベルト部３１を横方向に連結する連結ベルト部３４と、この連結ベルト部３４から両側にそれぞれ対をなして伸びる都合４本の分断状の連結ベルト部３５とを備えている。そして、２本の支持ベルト部３１の上側部分に取手ベルト部３２が一体に連結してループ状に形成されている。
【００２７】
そして、図７において、対をなす分断状の連結ベルト部３５，３５が当該運搬具３０の左右又は前後に対応して位置し、それら対をなす連結ベルト部３５を、図３に示すように、それぞれ結束することによりゴミ袋Ｇの位置を規制するものである。ゴミ袋Ｇは、底部ベルト部３３に着座するとともに２本の支持ベルト部３１で支持され、かつそれらの支持ベルト部３１と、結束されたそれぞれの連結ベルト部３５とにより、位置が規制されて側方へ倒れこむことが防止される。そして、取手ベルト部３２を把持してゴミ袋Ｇを持ち上げ運搬することができる。
【００２８】
この実施例でも、支持ベルト部３１と、連結ベルト部３４及び３５とは、図２に示した交点連結バックル２０を介して十字状に連結され、かつ両ベルト部３１、３４及び３５の上下方向の連結位置及び左右方向の連結位置が調節可能となっている。
【００２９】
次に、図３Ａに基づき、さらに別の実施例を説明する。この実施例では、図１の実施例と同じ底部材１３の前後からＵ字状に上方に延びる一対の支持ベルト部３１と、それら支持ベルト部３１に前記交点連結バックル２０を介して連結された連結ベルト部３４を備え、両ベルト部３１、３４はバックル２０により両者の上下方向の連結位置及び左右方向の連結位置が調節可能となっている。
【００３０】
さらに、連結ベルト部３４は、この手提げ運搬具３０’の左右において分断され、その分断部分３５はワンタッチジョント２４により着脱可能に接続されている。ワンタッチジョイント２４は、図３Ｂに示すように、上記分断部分の一方のベルト部に接続された受部２５と、他方のベルト部の端部に接続された弾性爪部２６との組み合わせからなり、弾性爪部２６の一対の係止爪２７が受部２５の図示しない係止部に弾性変形しつつ嵌ってロック状態となり、その状態から一対の係止爪２７を接近させるように摘めば、そのロックが解除されて、連結ベルト部の分断部分３５が分断、開放され、左右からゴミ袋Ｇ等を入れやすくなる。図３Ｃは図３Ａの展開状態を示し、右側の受部２５及び弾性爪部２６同士、並びに左側の受部２５及び弾性爪部２６同士が、それぞれ接続された状態で運搬に供され、左右のいずれかのワンタッチジョイント２４が開放された状態で、ゴミ袋Ｇ等を中に取り入れやすくすることができる。
【００３１】
図３Ａに戻って、支持ベルト部３１と連続して一体に延びるループ状の一対の取手ベルト部３２には、それぞれ手提げ長調節バックル２８が取り付けられ、各取手ベルト部３２はそこで分断され、その分断端部がそれぞれ上記バックル２８に挿通され、その挿通部分のオーバーラップ量を増加又は現象することにより、手提げ長さを調節することができる。これにより運搬すべきゴミ袋Ｇの高さや使用者の身長等に応じて最適な手提げ長さに設定して、使い勝手をよくすることができる。
【００３２】
図３Ｄは、図３Ａにおけるワンタッチジョイント２４を省略して、連結ベルト部３４の分断部分３５を結束する形式にしたものである。
【００３３】
また、図３Ｅは、一対の取手ベルト部３２、３２を結束して持ちやすくするために、ベルト結束部２９を設けた形態を示す。ベルト結束部２９は、柔軟性のある例えば布製のもので、その一端部が一方の取手ベルト部３２に取り付けられ（例えば縫付け等により）、他端側となる自由端部側で他方の取手ベルト部３２に巻き付けるようにし、詳しい図示はしないが、巻き付け後の自由端部と、固定側の基端部とが例えば圧着ファスナー等により着脱可能に締結される。このベルト結束部２９を把持して運搬すれば、手提げ状態で握りやすくなる。
【００３４】
図８は、一対の支持ベルト部４１と横に１本の連結ベルト部４４が交点連結バックル２０で連結された実施例を示している。これは単純な形態でありながら、バックル２０において連結ベルト部４４の高さ位置を変えたり、一対の支持ベルト部４１の間隔を変えたりして、機能性の高い手提げ運搬具４０となる。
【図面の簡単な説明】
【００３５】
【図１】本考案の一実施例の斜視図。
【図２】交点連結バックルの一例を示す図。
【図３】別の実施例の斜視図。
【図３Ａ】さらに別の実施例の斜視図。
【図３Ｂ】ワンタッチジョイントの一例を示す図。
【図３Ｃ】図３Ａの展開図。
【図３Ｄ】さらに別の実施例を示す斜視図。
【図３Ｅ】取手ベルト結束部の一例を示す図。
【図４】図１の展開図。
【図５】図３の展開図。
【図６】図１の正面図。
【図７】図３の正面図。
【図８】さらに別の実施例の斜視図。
【符号の説明】
【００３６】
１０，３０，３０’，４０  ゴミ袋等運搬用手提げ運搬具
１１，３１，４１  支持ベルト部
１２，３２，４２  取手ベルト部（取手部）
１３（１３ａ，１３ｂ）  底ベルト部（底部材）
１４，３４，４４  連結ベルト部
２０  交点連結バックル
２１  上下ベルト通し穴
２２  左右ベルト通し穴
２４  ワンタッチジョイント
２５  受部
２６  弾性爪部
２７  係止爪
２８  手提げ長調節バックル
２９  ベルト結束部
３５  連結ベルト部の分断部分
【図１】
0003140119.tif 000003
【図２】
0003140119.tif 000004
【図３】
0003140119.tif 000005
【図３Ａ】
0003140119.tif 000006
【図３Ｂ】
0003140119.tif 000007
【図３Ｃ】
0003140119.tif 000008
【図３Ｄ】
0003140119.tif 000009
【図３Ｅ】
0003140119.tif 000010
【図４】
0003140119.tif 000011
【図５】
0003140119.tif 000012
【図６】
0003140119.tif 000013
【図７】
0003140119.tif 000014
【図８】
0003140119.tif 000015